(57)【要約】【課題】セキュリティを確保しつつ施工管理者へ稼働情報を提供する稼働管理システムを提供する。【解決手段】受付部１２１は、施工情報端末２３から、施工管理者による稼働管理システム１へのアクセス要求を受け付ける。判定部１２２は、受付部１２１がアクセス要求を受け付けた場合、アクセス要求を行った施工管理者が第１記憶部１２３に記憶された開示条件を満たすか否かを判定する。許可部１２５は、判定部１２２によりアクセス要求を行った施工管理者が開示条件を満たすと判定された場合、稼働情報の当該施工管理者への開示を許可する。【選択図】図１
2018045486.tif 000002
【特許請求の範囲】
【請求項１】
作業機械の１種類以上の稼働情報を管理する稼働管理システムであって、
前記稼働管理システムは、前記作業機械の作業現場での作業を管理する１以上の施工管理者に提供される情報であって前記稼働情報とは異なる情報を管理する情報管理システムとネットワークを介して接続され、
前記稼働情報管理システムの管理者により設定された前記稼働情報の開示を許可するための各施工管理者の開示条件を記憶する記憶部と、
前記情報管理システムの端末から、前記施工管理者による前記稼働管理システムへのアクセス要求を受け付ける受付部と、
前記受付部が前記アクセス要求を受け付けた場合、前記アクセス要求を行った施工管理者が対応する開示条件を満たすか否かを判定する判定部と、
前記判定部により前記対応する開示条件を満たすと判定された場合、前記稼働情報の前記施工管理者への開示を許可する許可部とを備える稼働管理システム。
【請求項２】
前記作業機械の現在の位置情報を取得する取得部を更に備え、
前記開示条件の少なくとも１つは、前記取得された位置情報が前記アクセス要求を行った施工管理者に対応する作業領域内に位置することである請求項１に記載の稼働管理システム。
【請求項３】
前記開示条件の少なくとも１つは、前記アクセス要求の受け付け時刻が前記アクセス要求を行った施工管理者に対応する前記作業機械の利用期間内にあることである請求項１又は２記載の稼働管理システム。
【請求項４】
前記記憶部は、前記稼働管理システムの管理者により設定された各施工管理者に対して開示を許可する稼働情報の種類を示す種類情報を記憶し、
前記判定部は、前記アクセス要求を行った施工管理者が前記開示条件を満たすと判定した場合、前記種類情報を参照し、当該施工管理者に対して開示が許可された種類の稼働情報を特定し、前記特定した種類の稼働情報のみを開示する請求項１〜３のいずれかに記載の稼働管理システム。
【請求項５】
作業機械の１種類以上の稼働情報を管理する稼働管理システムにおける前記稼働情報の開示方法であって、
前記稼働管理システムは、前記作業機械の作業現場での作業を管理する１以上の施工管理者に提供される情報であって前記稼働情報とは異なる情報を管理する情報管理システムとネットワークを介して接続され、前記稼働情報管理システムの管理者により設定された前記稼働情報の開示を許可するための各施工管理者の開示条件を記憶する記憶部を備え、
前記情報管理システムの端末から、前記施工管理者による前記稼働管理システムへのアクセス要求を受け付け、
前記受付部が前記アクセス要求を受け付けた場合、前記アクセス要求を行った施工管理者が対応する開示条件を満たすか否かを判定し、
前記開示条件を満たすと判定された場合、前記稼働情報の前記施工管理者への開示を許可する稼働情報の開示方法。
【発明の詳細な説明】
【技術分野】
【０００１】
本開示は、稼働情報を管理する稼働管理システムにおいて稼働情報を開示する技術に関するものである。
【背景技術】
【０００２】
近年、建設機械等の作業機械の分野では、作業機械の保有者のために燃費や位置情報等の作業機械の稼働情報を管理する稼働管理システムが用いられている。また、作業機械を保有者からレンタルする施工管理者のために作業機械の施工履歴等を含む施工情報を管理する施工管理システムも用いられている。施工管理者の中には、施工情報に加えて稼働情報も取得して、作業機械を効率良く作業させることを望む者もいる。そこで、稼働管理システムと施工管理システムとを連携させ、稼働履歴を施工管理者に提供することが検討されている。
【０００３】
稼働管理システムと施工管理システムとを連携させる技術として特許文献１がある。特許文献１は、作業機械の車両情報及び位置情報を作業機械から取得し、端末機器に提供する作業機械遠隔管理システムを開示する。この作業機械遠隔管理システムは、作業機械のレンタル先顧客情報及び作業機械の車両情報を管理するレンタルシステムがネットワークを介して接続されている。そして、この作業機械遠隔管理システムは、作業機械から得られた車両情報及び位置情報と、レンタルシステムから得られた車両情報及びレンタル先顧客情報とに基づいて、作業機械の貸出先の現場位置及び作業機械の車両情報を地図上に示す画像を生成し、端末機器に提供する。
【先行技術文献】
【特許文献】
【０００４】
【特許文献１】特開２００６−２９１０２４号公報
【発明の概要】
【発明が解決しようとする課題】
【０００５】
しかし、特許文献１は、レンタルシステムから得られた情報を作業機械遠隔管理システムの端末機器に提供する発明であり、作業機械遠隔管理システムで得られた情報をレンタルシステムへ提供する発明ではないので、稼働情報をレンタルシステムに提供することはできない。
【０００６】
施工管理者に対して稼働情報を提供することは、作業現場における作業効率等の判断材料を施工管理者に提供できるので望ましい。
【０００７】
しかし、作業機械は複数の施工管理者に対して順次レンタルされるので、レンタル期間が終了した施工管理者に対していつまでも稼働情報を提供すると、現在、レンタル中の施工管理者の稼働情報がレンタル期間が終了した施工管理者に提供され、セキュリティ上問題がある。
【０００８】
本発明の目的は、セキュリティを確保しつつ施工管理者へ稼働情報を提供する稼働管理システムを提供することである。
【課題を解決するための手段】
【０００９】
本発明の一態様は、作業機械の１種類以上の稼働情報を管理する稼働管理システムであって、
前記稼働管理システムは、前記作業機械の作業現場での作業を管理する１以上の施工管理者に提供される情報であって前記稼働情報とは異なる情報を管理する情報管理システムとネットワークを介して接続され、
前記稼働情報管理システムの管理者により設定された前記稼働情報の開示を許可するための各施工管理者の開示条件を記憶する記憶部と、
前記情報管理システムの端末から、前記施工管理者による前記稼働管理システムへのアクセス要求を受け付ける受付部と、
前記受付部が前記アクセス要求を受け付けた場合、前記アクセス要求を行った施工管理者が対応する開示条件を満たすか否かを判定する判定部と、
前記判定部により前記対応する開示条件を満たすと判定された場合、前記稼働情報の前記施工管理者への開示を許可する許可部とを備える。
【００１０】
本態様によれば、情報管理システムの端末から、施工管理者による稼働管理システムへのアクセス要求を受け付けた場合、アクセス要求を行った施工管理者が対応する開示条件を満たせば、当該施工管理者に対する稼働情報の開示が許可される。そのため、開示条件を満たすことを条件に施工管理者に稼働情報を開示することができる。一方、当該施工管理者が対応する開示条件を満たさなければ施工管理者への稼働情報の開示が許可されない。よって、本態様は、例えば、作業機械の利用期間が過ぎたような施工管理者に対していつまでも稼働情報が開示されることを防止でき、セキュリティを確保できる。
【００１１】
また、稼働情報管理システムの管理者は各施工管理者に対して開示条件を任意に設定できるので、信頼のおけない施工管理者に対しては稼働情報の開示を制限することができる。
【００１２】
また、上記態様において、前記作業機械の現在の位置情報を取得する取得部を更に備え、
前記開示条件の少なくとも１つは、前記取得された位置情報が前記アクセス要求を行った施工管理者に対応する作業領域内に位置することが好ましい。
【００１３】
本態様によれば、作業機械の現在位置がアクセス要求を行った施工管理者に対応する作業現場内に位置する場合、開示条件を満たすと判定される。そのため、作業機械の利用期間が経過するなどして、アクセス要求を行った施工管理者の作業場所から別の作業場所に作業機械が搬出された場合において、当該施工管理者に稼働情報が開示されることが防止される。その結果、稼働情報の漏洩を防止できる。
【００１４】
また、上記態様において、前記開示条件の少なくとも１つは、前記アクセス要求の受け付け時刻が前記アクセス要求を行った施工管理者に対応する前記作業機械の利用期間内にあることであるが好ましい。
【００１５】
本態様によれば、アクセス要求の受け付け時刻がアクセス要求を行った施工管理者に対応する利用期間内にある場合、開示条件を満たすと判定されるので、利用期間が経過した施工管理者に対して稼働情報が漏洩することを防止できる。
【００１６】
また、上記態様において、前記記憶部は、前記稼働管理システムの管理者により設定された各施工管理者に対して開示を許可する稼働情報の種類を示す種類情報を記憶し、
前記判定部は、前記アクセス要求を行った施工管理者が前記開示条件を満たすと判定した場合、前記種類情報を参照し、当該施工管理者に対して開示が許可された種類の稼働情報を特定し、前記特定した種類の稼働情報のみを開示することが好ましい。
【００１７】
本態様によれば、アクセス要求を行った施工管理者が開示条件を満たす場合、その施工管理者に対して開示が許可された種類の稼働情報のみが開示されるので、稼働情報が無条件に開示されることを防止できる。
【発明の効果】
【００１８】
本発明によれば、セキュリティを確保しつつ施工管理者へ稼働情報を提供することができる。
【図面の簡単な説明】
【００１９】
【図１】本発明の実施の形態に係る稼働管理システムの構成を示す図である。
【図２】開示条件テーブルの一例を示す図である。
【図３】管理テーブルの一例を示すテーブルである。
【図４】稼働情報テーブルの一例を示す図である。
【図５】本発明の実施の形態に係る稼働管理システムの処理を示すフローチャートである。
【発明を実施するための形態】
【００２０】
図１は、本発明の実施の形態に係る稼働管理システム１の構成を示す図である。稼働管理システム１は、情報管理システム２とネットワークＮＴ４を介して通信可能に接続され、１以上の作業機械の１種類以上の稼働情報を管理する。稼働管理システム１は、例えば、作業機械４の保有者によって利用されるシステムであり、稼働情報コントローラ１１から稼働情報を収集し、保有者に稼働情報を提供する。以下、作業機械４の保有者を「稼働管理者」と記載する。作業機械４は、例えば、ショベルカー、クレーン、ダンプカー等の建設機械である。図１では、説明の便宜上、１台の作業機械４しか示していないが、１以上の作業機械４があってもよい。
【００２１】
情報管理システム２は、１以上の施工管理者に提供される施工情報を管理するシステムである。施工管理者は、作業機械４の作業現場での作業を管理する者であり、例えば、稼働管理者からレンタルした作業機械４を用いて作業現場で施工作業を行う施工業者が該当する。
【００２２】
稼働情報は、作業機械４の稼働状態を示す情報であり、例えば、位置情報、燃費情報、アラーム情報、稼働時間、及びアイドリング時間を含む。
【００２３】
位置情報は作業機械４の実空間での現在位置を示す情報である。燃費情報は作業機械４のエンジンの燃費を示す情報である。燃費情報は、現在の燃費であってもよいし、単位時間あたりの燃費の平均値であってもよい。
【００２４】
アラーム情報は作業機械４がアラームを報知したことを示す情報である。アラームは、例えば、作業機械４が障害物と干渉しそうになるというように、作業機械４が危険な状態になったときに報知される。
【００２５】
稼働時間は、例えば、エンジンがＯＮされている時間や、エンジンがＯＮされた状態で作業機械４が実際に作業を行っている時間を示す。
【００２６】
アイドリング時間は、作業機械４のエンジンがアイドル状態で稼働した時間を示す。アイドル状態は、作業機械４が無負荷の状態（何も作業をしていない状態）でエンジンがＯＮされている状態が該当する。アイドリング情報は、個々のアイドリング状態に対するアイドリング時間であってもよいし、単位時間あたりのアイドリング時間の平均値であってもよいし、１日におけるアイドリング時間の積算値であってもよい。
【００２７】
施工情報は、作業機械４が事前に定められた施工計画にしたがって作業を進めているか否かを判断するために施工管理者に利用される情報であり、例えば、施工履歴が該当する。
【００２８】
稼働管理システム１は、稼働情報コントローラ１１、稼働情報サーバ１２、及び稼働管理端末１３を備える。
【００２９】
稼働情報コントローラ１１は、作業機械４に搭載され、ネットワークＮＴ１を介して稼働情報サーバ１２と接続されている。稼働情報コントローラ１１は、例えばＣＰＵ、ＲＯＭ等を備えるコンピュータで構成され、作業機械４の稼働情報を収集し、稼働情報サーバ１２に送信する。
【００３０】
稼働情報コントローラ１１は、例えば、作業機械４が備えるＧＰＳセンサから作業機械４の位置情報を取得すればよい。稼働情報コントローラ１１は、例えば、作業機械４のメインコントローラ（図略）から作業機械の燃費情報、アラーム情報、稼働時間、及びアイドリング時間を取得すればよい。
【００３１】
稼働情報コントローラ１１は、一定の時間間隔で稼働情報を送信してもよいし、稼働情報サーバ１２から稼働情報の取得要求があったときに稼働情報を送信してもよい。また、稼働情報コントローラ１１は、作業機械４のエンジンのＯＮ、ＯＦＦに拘わらず常時稼働可能に構成されているのであれば、作業機械４のエンジンがＯＦＦされている期間において、稼働情報を送信してもよい。
【００３２】
稼働情報サーバ１２は、ＣＰＵ、ＲＯＭ、及び通信装置等を備えるコンピュータで構成され、受付部１２１、判定部１２２、第１記憶部１２３、第１取得部１２４、及び許可部１２５の機能を備える。これらの機能は、稼働情報サーバ１２のＣＰＵがコンピュータプログラムを実行することで実現される。
【００３３】
受付部１２１は、施工情報端末２３から、施工管理者による稼働管理システム１へのアクセス要求を受け付ける。ここでは、施工情報端末２３から送信されたアクセス要求は、施工情報サーバ２２を介して稼働情報サーバ１２に送信される。アクセス要求は、施工管理者が稼働管理システム１から稼働情報の取得するためのデータである。
【００３４】
アクセス要求には、施工管理者のユーザＩＤ及びパスワードが含まれる。施工管理者のユーザＩＤ及びパスワードは、施工管理者が施工情報端末２３を用いて、稼働情報サーバ１２及び施工情報サーバ２２にアクセスするために利用されるものである。ユーザＩＤは、１以上の施工管理者に対して一意的に付与された記号列である。
【００３５】
判定部１２２は、受付部１２１がアクセス要求を受け付けた場合、アクセス要求を行った施工管理者が第１記憶部１２３に記憶された開示条件を満たすか否かを判定する。図２は、開示条件が登録された開示条件テーブルＴ１の一例を示す図である。
【００３６】
開示条件テーブルＴ１は、１の施工管理者に対して１つのレコードが割り当てられた１以上のレコードで構成され、各レコードには「ユーザＩＤ」、「パスワード」、「開示条件」、及び「開示項目」のフィールドが設けられている。
【００３７】
「ユーザＩＤ」のフィールドには、施工管理者のユーザＩＤが登録されている。「パスワード」のフィールドには、施工管理者のパスワードが登録されている。「開示条件」のフィールドには、稼働情報の開示が許可されるために施工管理者が満たすべき条件が登録されている。開示条件には位置条件及び期間条件の少なくとも一方が含まれる。位置条件は、施工管理者が施工作業を行う作業現場の実空間での領域情報である。期間条件は施工管理者が作業機械の利用が許可されている利用期間である。
【００３８】
例えば、ユーザＩＤ「ＡＡ」の施工管理者は、「開示条件」のフィールドに「位置条件」のみ登録されているので、位置条件を満たせば開示条件を満たすと判定される。ユーザＩＤ「ＢＢ」の施工管理者は、「開示条件」のフィールドに「期間条件」のみ登録されているので、利用条件を満たせば開示条件を満たすと判定される。ユーザＩＤ「ＡＡ」の施工管理者は、「開示条件」のフィールドに「位置条件」及び「期間条件」が登録されているので、位置条件及び期間条件の２つの条件を満たせば、開示条件を満たすと判定される。
【００３９】
詳細には、判定部１２２は、図３に示す管理テーブルＴ２を用いて施工管理者が開示条件及び期間条件を満たすか否かを判定する。図３は、管理テーブルＴ２の一例を示すテーブルである。管理テーブルＴ２は、稼働管理システム１が施工管理者を管理するための情報が登録されたテーブルである。管理テーブルＴ２は、１の施工管理者に対して１のレコードが割り付けられた１以上のレコードで構成され、各レコードには、「ユーザＩＤ」、「作業機械ＩＤ」、「利用期間」、及び「作業現場」のフィールドが設けられている。
【００４０】
「ユーザＩＤ」は図２の「ユーザＩＤ」と同じである。「作業機械ＩＤ」のフィールドには、稼働管理者が施工管理者にレンタルしている作業機械４の識別子が登録されている。ここで、作業機械ＩＤは、稼働管理者が保有する１以上の作業機械４を区別するために一意的に割り付けた識別子である。
【００４１】
例えば、ユーザＩＤ「ＡＡ」の施工管理者は、作業機械ＩＤが「Ｋ１１」、「Ｋ１２」の作業機械をレンタルしているので、「作業機械ＩＤ」のフィールドには、「Ｋ１１」、「Ｋ１２」が登録されている。
【００４２】
「利用期間」のフィールドには、稼働管理者が施工管理者にレンタルしている作業機械４の利用期間（レンタル期間）が登録されている。ここでは、利用期間の初日と終日とを示す「年／月／日」が登録されている。例えば、ユーザＩＤ「ＡＡ」の施工管理者は、２０１６年３月１日から２０１６年６月３０日が作業機械４の利用が許可されているので、「利用期間」のフィールドには、「２０１６／３／１−２０１６／６／３０」が登録されている。
【００４３】
「作業現場」のフィールドには、施工管理者がレンタルした作業機械４を用いて施工作業を行う作業現場の実空間での領域情報が登録されている。ここでは、作業現場の形状を矩形とみなし、矩形の左上の頂点の緯度及び経度と、矩形の右下の頂点の緯度及び経度とが登録されている。したがって、作業現場の領域はこの矩形で示されることになる。なお、作業現場の位置情報を矩形で表すことは一例であり、実際の作業現場の形状が領域情報として採用されてもよい。
【００４４】
次に、図３を参照し、判定部１２２の処理の一例を示す。ユーザＩＤ「ＡＡ」の施工管理者がアクセス要求を行ったとする。この場合、判定部１２２は、第１取得部１２４が取得した作業機械ＩＤ「Ｋ１１」、「Ｋ１２」の作業機械４の最新の位置情報が、それぞれ、「作業現場」のフィールドに登録された「（緯度Ｘ０１、経度Ｙ０１）−（緯度Ｘ０２、経度Ｙ０２）」で示す作業現場の領域内に位置すれば、この施工管理者は位置条件を満たすと判定する。
【００４５】
ユーザＩＤ「ＢＢ」の施工管理者がアクセス要求を行ったとする。この場合、判定部１２２は、第１取得部１２４が取得したアクセス要求の取得時刻が「利用期間」のフィールドに登録された「２０１６／３／１−２０１６／６／３０」の期間内にあれば、この施工管理者は期間条件を満たすと判定する。
【００４６】
図１に参照を戻す。第１記憶部１２３は、図２に示す開示条件テーブルＴ１と図３に示す管理テーブルＴ２と図４に示す稼働情報テーブルＴ３とを記憶する。
【００４７】
第１取得部１２４は、稼働管理者が稼働管理端末１３を用いて設定した、稼働情報の開示を許可するための各施工管理者の開示条件を稼働管理端末１３から取得し、開示条件テーブルＴ１に登録する。また、第１取得部１２４は、稼働情報コントローラ１１から送信された稼働情報を取得し、第１記憶部１２３の稼働情報テーブルＴ３に登録する。
【００４８】
図４は、稼働情報テーブルＴ３の一例を示す図である。稼働情報テーブルＴ３は、１の作業機械につき１のレコードが割り付けられた１以上のレコードから構成され、各レコードは「作業機械ＩＤ」、及び稼働情報「１」〜「稼働情報「５」のフィールドを備えている。
【００４９】
「作業機械ＩＤ」は、図３の「作業機械ＩＤ」と同じである。稼働情報「１」〜稼働情報「５」のフィールドには、種類別に分類された稼働情報が登録されている。稼働情報の種類としては、上述した位置情報、燃費情報、アラーム情報、及びアイドリング時間等が該当する。
【００５０】
例えば、作業機械ＩＤ「Ｋ１１」の作業機械４においては、２０１６年３月１日１３時に「ａａ１」の稼働情報「１」が取得され、２０１６年３月１日１４時には「ａａ２」の稼働情報「１」が取得された。そのため、作業機械ＩＤ「Ｋ１１」の稼働情報「１」のフィールドには「ａａ１（２０１６／１／１３／１３：００）」及び「ａａ２（２０１６／１／１３／１４：００）」というように、稼働情報「１」の値が取得時刻と対応付けて登録されている。他のフィールドについても、このフィールドと同様に、稼働情報の値が取得時刻と対応付けて登録されている。このようにして、作業機械４毎の稼働情報の履歴が稼働情報テーブルＴ３に蓄積されていく。
【００５１】
許可部１２５は、判定部１２２によりアクセス要求を行った施工管理者が開示条件を満たすと判定された場合、稼働情報の当該施工管理者への開示を許可する。ここで、施工管理者には、開示が許可されている稼働情報の種類が開示条件テーブルＴ１の「開示項目」のフィールドに登録されている。そこで、許可部１２５は、開示条件テーブルＴ１の「開示項目」のフィールドを参照することで、施工管理者に開示が許可されている稼働情報の種類を決定し、許可されている種類の稼働情報のみ施工管理者に開示する。
【００５２】
例えば、図２を参照し、ユーザＩＤ「ＡＡ」の施工管理者は稼働情報「１」、稼働情報「２」の開示が許可されている。また、この施工管理者には、作業機械ＩＤ「Ｋ１１」、作業機械ＩＤ「Ｋ１２」の作業機械４が対応付けられている。そのため、許可部１２５は、ユーザＩＤ「ＡＡ」の施工管理者に対して稼働情報テーブルＴ３に登録された稼働情報の中から、作業機械ＩＤ「Ｋ１１」、「Ｋ１２」の稼働情報「１」、「２」のみの開示を許可する。
【００５３】
詳細には、許可部１２５は、該当する施工情報端末２３に対して作業機械ＩＤ「Ｋ１１」、「Ｋ１２」の稼働情報「１」、稼働情報「２」のみを送信することで、稼働情報を開示すればよい。なお、許可部１２５から送信された稼働情報は、施工情報サーバ２２を介して該当する施工情報端末２３に送信される。
【００５４】
図１に参照を戻す。稼働管理端末１３は、ＣＰＵ、ＲＯＭ、入力装置、表示装置、及び通信装置を備えるコンピュータで構成され、ネットワークＮＴ２を介して稼働情報サーバ１２と接続されている。稼働管理端末１３は、稼働管理者により設定される開示条件の入力を受け付け、受け付けた開示条件を稼働情報サーバ１２に送信する。稼働管理端末１３は、稼働管理者の指示にしたがって、稼働情報を取得するための取得要求を稼働情報サーバ１２に送信し、稼働情報を受信する。なお、稼働情報サーバ１２は、稼働管理端末１３に対しては特に開示を制限することなく稼働情報を送信する。
【００５５】
情報管理システム２は、施工情報コントローラ２１、施工情報サーバ２２、及び施工情報端末２３を備える。
【００５６】
施工情報コントローラ２１は、作業機械４に搭載され、ネットワークＮＴ１を介して施工情報サーバ２２と接続されている。施工情報コントローラ２１は、例えばＣＰＵ、ＲＯＭ等を備えるコンピュータで構成され、作業機械４の施工情報を収集し、施工情報サーバ２２に送信する。
【００５７】
施工情報コントローラ２１は、一定の時間間隔で施工情報を送信してもよいし、施工情報コントローラ２１から施工情報の取得要求があったときに施工情報を送信してもよい。また、施工情報コントローラ２１は、作業機械４のエンジンのＯＮ、ＯＦＦに拘わらず常時稼働可能に構成されているのであれば、作業機械４のエンジンがＯＦＦされている期間において、施工情報を送信してもよい。
【００５８】
作業機械４がブーム、アーム、及びバケット等を備えるショベルカーで構成されているとすると、施工情報コントローラ２１は、例えば、作業機械４が備える測距センサ及び角度センサが検出した情報から、バケット先端の軌跡の情報、施工作業後の施工現場の形状データ等を算出し、施工情報として施工情報サーバ２２に送信する。
【００５９】
また、施工情報コントローラ２１は、整地後の作業現場の目標地形データ等を含む施工計画情報を記憶しており、現状の作業現場の地形データが目標地形データとなるように作業装置４のオペレータに作業ガイダンスを行う。
【００６０】
施工情報サーバ２２は、ＣＰＵ、ＲＯＭ、及び通信装置等を備えるコンピュータで構成され、アクセス要求部２２１、第２取得部２２２、及び第２記憶部２２３の機能を備える。これらの機能は、施工情報サーバ２２のＣＰＵがコンピュータプログラムを実行することで実現される。
【００６１】
アクセス要求部２２１は、施工情報端末２３から稼働情報を取得するためのアクセス要求を受け付けると、そのアクセス要求を稼働情報サーバ１２に転送する。
【００６２】
第２取得部２２２は、施工情報コントローラ２１から送信された施工情報を取得し、第２記憶部２２３の施工情報テーブル（図略）に登録する。施工情報テーブルは、稼働情報テーブルＴ３と同様のデータ構造を持ち、各作業機械４の施工情報が施工情報の取得時刻と対応付けて登録されている。第２記憶部２２３は、施工情報テーブル（図略）を記憶する。
【００６３】
施工情報端末２３は、ＣＰＵ、ＲＯＭ、入力装置、表示装置、及び通信装置を備えるコンピュータで構成され、ネットワークＮＴ３を介して施工情報サーバ２２と接続されている。施工情報端末２３は、施工管理者の指示にしたがって、施工情報を取得するための取得要求を施工情報サーバ２２に送信し、施工情報を受信し、表示装置に表示する。これにより、施工管理者は施工情報を閲覧できる。
【００６４】
施工情報端末２３は、施工管理者により稼働管理システム１へのアクセス要求の指示が入力されると、アクセス要求を施工情報サーバ２２に送信する。
【００６５】
施工情報端末２３は、稼働管理システム１により稼働情報の開示が許可された場合、開示が許可された稼働情報を受信し、表示装置に表示する。これにより、施工管理者は、開示が許可された稼働情報を閲覧できる。
【００６６】
ネットワークＮＴ１は、例えば、衛星通信網や携帯電話通信網である。ネットワークＮＴ２，ＮＴ３，ＮＴ４は、例えば、インターネットや携帯電話通信網である。
【００６７】
図５は、本発明の実施の形態に係る稼働管理システム１の処理を示すフローチャートである。なお、図５のフローチャートは一定の時間間隔で繰り返し実行される。
【００６８】
まず、第１取得部１２４は、稼働管理者が設定した各施工管理者の開示条件を稼働管理端末１３から取得すると（Ｓ５０１でＹＥＳ）、取得した開示条件を開示条件テーブルＴ１に登録する（Ｓ５０２）。一方、第１取得部１２４は、開示条件を取得しなければ（Ｓ５０１でＮＯ）、処理をＳ５０３に進める。
【００６９】
Ｓ５０３では、第１取得部１２４は、稼働情報コントローラ１１から稼働情報を取得すると（Ｓ５０３でＹＥＳ）、取得した稼働情報を稼働情報テーブルＴ３に登録する（Ｓ５０４）。一方、第１取得部１２４は、稼働情報を取得しなければ（Ｓ５０３でＮＯ）、処理をＳ５０５に進める。
【００７０】
次に、施工情報端末２３からアクセス要求を受信すると（Ｓ５０５でＹＥＳ）、受付部１２１はアクセス要求に含まれるユーザＩＤ及びパスワードのペアが開示条件テーブルＴ１に登録されているユーザＩＤ及びパスワードのペアと一致するか否かを判定する（Ｓ５０６）。Ｓ５０５において、アクセス要求を受信しなければ、処理はＳ５０１に戻る。
【００７１】
ユーザＩＤ及びパスワードのペアが開示条件テーブルＴ１に登録されたユーザＩＤ及びパスワードのペアと一致すると（Ｓ５０６でＹＥＳ）、判定部１２２は、アクセス要求を行った施工管理者が開示条件を満足するか否かを判定する（Ｓ５０７）。Ｓ５０６において、ユーザＩＤ及びパスワードのペアが開示条件テーブルＴ１に登録されたユーザＩＤ及びパスワードのペアと一致しなければ（Ｓ５０６でＮＯ）、処理はＳ５０１に戻る。
【００７２】
判定部１２２により施工管理者が開示条件を満足すると判定された場合（Ｓ５０７でＹＥＳ）、許可部１２５は、開示条件テーブルＴ１を参照し、該当する施工管理者に対して開示が許可されている稼働情報の種類を特定する（Ｓ５０８）。Ｓ５０７において、施工管理者が開示条件を満足しない場合（Ｓ５０７でＮＯ）、処理はＳ５０１に戻る。
【００７３】
次に、許可部１２５は、開示が許可されている種類の稼働情報であって、該当する施工管理者がレンタルしている作業機械４の稼働情報を施工情報端末２３に送信し（Ｓ５０９）、処理をＳ５０１に戻す。
【００７４】
このように、稼働管理システム１は、施工情報端末２３から、施工管理者による稼働管理システムへのアクセス要求を受け付けた場合、アクセス要求を行った施工管理者が対応する開示条件を満たせば、当該施工管理者に対する稼働情報の開示を許可する。そのため、開示条件を満たすことを条件に施工管理者に稼働情報を開示することができる。
【００７５】
施工管理者は施工情報に加えて稼働情報を取得することで、より詳細に施工作業が行われているか否かを判断することができる。例えば、位置情報を取得することで、施工管理者は現場で稼働している作業機械４の位置や位置の分布を把握することができる。そのため、施工管理者は、施工計画を進めるにあたり、作業機械４が効率的に配置されているか否かの見直しをすることができる。
【００７６】
また、燃費情報を取得することで、施工管理者は、作業機械４の燃料消費情報を把握し、給油タイミングの最適化を図り、給油回数を削減できる。また、施工管理者は、燃費情報に基づいて作業機械４のオペレータに対して省エネ運転を啓蒙することができる。
【００７７】
また、アラーム情報をリアルタイムで取得し、一元管理することで、故障した作業機械４の修理や代替作業機械の手配を速やかに行うことができる。また、アイドリング時間を取得することで、施工管理者は、現場での作業機械４の作業分布を把握し、現場における作業機械４の効率的な配置の見直しが可能となる。
【００７８】
一方、稼働管理システム１は、当該施工管理者が対応する開示条件を満たさなければ施工管理者への稼働情報の開示を許可しない。よって、稼働管理システム１は、セキュリティを確保しつつ開示可能な稼働情報のみ施工管理者に開示できる。
【００７９】
また、稼働管理者は稼働管理端末１３を用いて開示条件を任意に設定できるので、例えば、信頼のおける施工管理者に対しては開示する稼働情報の種類を多くし、信頼のおけない施工管理者に対しては開示する稼働情報の種類を少なくするようにして、稼働情報のセキュリティを確保できる。
【００８０】
また、稼働管理者は、開示条件として位置条件を設定することができる。そのため、作業機械４のレンタル期間が経過するなどして、アクセス要求を行った施工管理者の作業場所から別の作業場所に作業機械４が搬出された場合において、当該施工管理者に稼働情報が開示されることが防止される。そのため、稼働管理システム１は、稼働情報の漏洩を防止できる。
【００８１】
また、稼働管理者は、開示条件として期間条件を設定できる。そのため、稼働管理システム１は、利用期間が経過した施工管理者に対して稼働情報が漏洩することを防止できる。
【００８２】
また、稼働管理者は、開示条件として位置条件と期間条件との少なくとも一方を設定できるので、施工管理者に応じて開示条件のレベルを任意に設定できる。そのため、信頼のおけない施工管理者に対しては位置条件及び期間条件の両方を設定することで、セキュリティレベルを高めることができる。
【符号の説明】
【００８３】
Ｔ１  開示条件テーブル
Ｔ２  管理テーブル
Ｔ３  稼働情報テーブル
１  稼働管理システム
２  情報管理システム
４  作業機械
１１  稼働情報コントローラ
１２  稼働情報サーバ
１３  稼働管理端末
２１  施工情報コントローラ
２２  施工情報サーバ
２３  施工情報端末
１２１  受付部
１２２  判定部
１２３  第１記憶部
１２４  第１取得部
１２５  許可部
２２１  アクセス要求部
２２２  第２取得部
２２３  第２記憶部
【図１】
2018045486.tif 000003
【図２】
2018045486.tif 000004
【図３】
2018045486.tif 000005
【図４】
2018045486.tif 000006
【図５】
2018045486.tif 000007